【事件の表示】
　平成　５年特許願第　８２９９９号「表示装置」拒絶査定に対する審判事件［平成　６年１０月２１日出願公開、特開平　６−２９５５２９］について、次のとおり審決する。
【結　論】
　本件審判の請求は、成り立たない。
【理　由】
　
１．手続の経緯・本願発明
　本願は、平成５年４月９日の出願であって、その請求項１〜10に係る発明は、平成11年５月26日付け、及び、平成14年８月30日付けの手続補正書により補正された明細書の特許請求の範囲の請求項１〜10に記載されたとおりの「表示装置」であるところ、その請求項１に係る発明は、次のとおりのものである（以下、「本願発明」という。）。
　
「【請求項１】　歌唱と伴奏を含む原曲の歌唱信号のみを取り出す歌唱抽出手段と、
　基準となる歌唱信号を入力しその情報を検出する基準歌唱情報検出手段と、
　比較される歌唱信号を入力しその情報を検出する比較歌唱情報検出手段と、
　一定時間毎における前記基準歌唱情報検出手段と前記比較歌唱情報検出手段の検出結果を比較する比較手段と、
　前記比較手段の結果を表示する表示手段とを備えることを特徴とする表示装置。」
　
２．引用例
　これに対し、原査定の拒絶の理由で引用された特開平4-13176号公報（以下、「引用例」という。）には、図面とともに次の技術事項が記載されている。
(i)「〔産業上の利用分野〕
　本発明は、楽音情報記憶媒体に格納した楽音情報に基づいて演奏音楽を再生し、歌い手の音声を伴奏者と共にスピーカーから発するカラオケ装置の改良に関する。」（第１頁右下欄第７〜11行）　
(ii)「〔発明が解決しようとする課題〕
　上記のように伴奏に適合した歌詞表示機能を有するカラオケ装置の場合、歌い手は、歌詞表示に誘導されることによって、伴奏の流れに歌を合わせ易いので、適正なテンポで歌唱することができる。しかしながら、歌い手は伴奏音に対する音程の外れ具合を認識することはできず、歌い手に対する歌唱技能の面からの支援という機能においては不十分であった。
　・・・（中略）・・・
　本発明は、上記問題を解決するためになされたものであり、その目的は、歌唱中における伴奏者に対する音程のずれ具合を歌い手自らが視覚的にかつリアルタイムに認識することのできる音程差表示機能付きカラオケ装置を提供することにある。」（第２頁左上欄第15行〜同頁右上欄第20行）
(iii)「〔実施例〕
　以下、図面に基づいて、本発明の実施例を具体的に説明する。
　第１図は、実施例の全体構成を示すブロック図であり、中央制御部であるCPU10には、多数の楽曲の楽音情報を格納した楽音情報記憶媒体12が接続されている。この楽音情報記憶媒体12に格納された楽音情報には、伴奏音楽の演奏情報の他に基準ボーカル情報として、当該伴奏者に合わせて歌われたプロ歌手の音程情報が含まれている。
　なお、上記楽音情報記憶媒体12に格納される情報は、デジタルデータであり、一般にMIDI（Musical Instrument Digital Interface）（「MIDI」は商標）情報と呼ばれるものである。・・・
　また、CPU10には、楽音再生装置としてのシンセサイザー14が接続されており、このシンセサイザー14はオーディオアンプ16を介してスピーカ18に接続されている。
　そして、歌い手の歌を入力するためのマイクロホン20もオーディオアンプ16に接続されており、シンセサイザー14からの再生音と共に歌い手の歌がスピーカ18から発せられる。マイクロホン20は、更に、取込み音声周波数帯域以外の周波数成分をカットするためのフィルター22に接続されている。このフィルター22によって、歌い手の音声の周波数成分だけを送出することができる。
　フィルター22の出力側は、周波数／電圧変換器24を介して音程比較器26の一方の入力端子に接続されている。周波数／電圧変換器24は、フィルター22から送られた歌い手の音声の周波数信号をその周波数に対応して決定される所定電圧に変換するものである。
　音程比較器26の他方の入力端子は、D/A変換器28を介してCPU10に接続されている。CPU10は、楽音情報記憶媒体12から読み出した基準ボーカル情報をD/A変換器28を介して音程比較器26に供給する。すなわち、音程比較器26の２つの入力端子には、歌い手の音声の電圧レベル信号と基準ボーカル情報に基づくアナログ電圧レベル信号がそれぞれ入力される。そして、音程比較器26は入力された電圧を比較演算し、演算結果すなわち音程の高低差を電圧信号として出力する。
　音程比較器26の出力側は、A/D変換器30を介してCPU10に接続されている。A/D変換器30は、入力される電圧信号をその電圧レベルに対応するデジタルデータに変換するものである。そして、CPU10には、ビデオメモリ32が接続されており、更にビデオメモリ32は映像回路34を介してモニタ36に接続されている。
　CPU10はA/D変換器30からのデジタルデータを音程の高低差を視覚的に認識できるようにするための形に変換する（グラフィックデータ作成）。そして、このグラフィックデータをビデオメモリ32に書き込む。
　尚、本実施例では、モニタ36にて背景映像を表示するために映像情報発生手段38が映像回路34に接続されている。」（第３頁左上欄第１行〜同頁右下欄第２行）
(iv)「上記音程差表示機能付きカラオケ装置の特徴的動作を第２図のフローチャートに基づいて説明する。
　まず、図示していない入力手段などによって再生開始操作が行われると(S1)、CPU10は楽音情報記憶媒体12から所定の楽曲の演奏情報および基準ボーカル情報を読み出す(S2)。
  そして、演奏情報をシンセサイザー14に送出し、シンセサイザー14は、伴奏音信号をオーディオアンプ16を介してスピーカ18に送る(S3)。同じく、基準ボーカル情報はD/A変換器28に伴奏音に対応させて送られ、D/A変換器28にて所定の変換がされた後基準電圧信号として音程比較器26に送られる(S4）。
  ここで、音程比較器26が伴奏音に合わせて歌われている歌の音程を示す音声電圧と上記基準電圧との比較が行われる。そして、比較結果を、例えば音声電圧のほうが高い場合には正の電圧で大きさを表し、逆に低い場合には負の電圧で大きさを表すように出力する(S5)。
  次に、この出力をA/D変換器30にてデジタル信号化するが、この変換はA/D変換器30に内蔵した発振器からのクロック信号に同期して、定期的に電圧レベルをサンプリングして行われる。
　CPU10は、A/D変換器30の出力について前述のグラフィックデータ作成を行う(S6)。そして、CPU10はそのグラフィックデータのビデオメモリ32への書き込みを行う(S7)。この書き込みは、モニタ36の画面上で基準ボーカル情報に対する歌い手の音声の音程の高低差を表示するためにモニタ36画面上の座標位置に対応するビデオメモリ32のアドレスを算出してそのメモリアドレスに音程の高低差を表す上記グラフィックデータを格納するものである。
　ビデオメモリ32に格納されたグラフィックデータは、楽音情報記憶媒体12に格納された歌詞情報のモニタ36での表示に同期して表示されるようにCPU10の制御によって、映像回路34に送られる(S8)。
　そして、第３図に示すように、背景映像および歌詞情報と合成されて音程の高低差のグラフィック表示が行われる(S9)。本実施例では、画面100上に基準線40を示し、歌い手の音程が高い場合には、基準線40より上側に直線42の表示を行い、低い場合には下側に直線42を表示するようにしている。更に、本実施例では、歌詞の文字44に対応させかつその流れに同期させて音程の高低表示を行うようにしている。
　そして、基準ボーカル情報の曲終了データが、CPU10によって検知されるまで上記S5〜S9の動作が繰り返される(S10がNo）。終了データが検知されると(S10がYes)、音程表示動作は終了する(S11)。
  従って、上記実施例によれば、歌い手は歌唱中において、モニタ36に写し出された背景映像および歌詞を見ながら、かつ自分の歌の音程のずれをリアルタイムに認識することができる。また、そのずれの表示は、基準線40を中心にして視覚的に高低の区別がなされているので、歌い手が音程のずれを直すための効果的な援助手段となる。」（第３頁右下欄第３行〜第４頁左下欄第３行）
　
  上記記載事項及び図面の記載を総合勘案すると、引用例１には、結局、次の発明が記載されているものと認める（以下、「引用発明」という。）。
　
　伴奏音楽の演奏情報と伴奏音楽に合わせて歌われたプロ歌手の音程情報である基準ボーカル情報が格納された楽音情報記憶媒体12から演奏情報及び基準ボーカル情報を読み出すCPU10と、該基準ボーカル情報をアナログ基準電圧信号に変換するD/A変換器28と、
  マイクロホン20より入力される歌い手の音声の周波数成分（信号）のみを取り出すフィルター22 、及び、（音声）電圧信号に変換する周波数／電圧変換器24と、
　上記周波数／電圧変換器24の出力（歌われている歌の音程を示す音声電圧）と上記D/A変換器28の出力（基準電圧）とを比較する音程比較器26と、上記音程比較器26の比較結果出力を、内蔵した発振器からのクロック信号に同期して定期的に電圧レベルをサンプリングしてデジタル信号化して出力するA/D変換器30と、
　CPU10により作成された音程の高低差を表すグラフィックデータを表示するモニタ36と、
　を備える音程差表示機能付きカラオケ装置。
　
３．対　比
　本願発明と引用発明とを対比する。引用発明における「基準ボーカル情報」は「原曲の歌唱信号」を表すものであるとともに、歌い手の音程と比較する基準音程となる歌唱信号であることは明らかであるから、本願発明における「基準となる歌唱信号」に相当する。引用発明における「CPU10」は、伴奏と基準ボーカル情報が格納された楽音情報記憶媒体12から少なくとも基準ボーカル情報（原曲の歌唱信号）を読み出すものであるから、その限りで本願発明における「歌唱抽出手段」と共通する。引用発明における「D/A変換器28」は、基準ボーカル情報（基準となる歌唱信号）を入力しその情報を検出するものであるから、本願発明における「基準歌唱情報検出手段」に相当する。引用発明における「フィルター22」及び「周波数／電圧変換器24」は、歌い手の音声信号つまり比較される歌唱信号を入力しその情報を取り出すものであるから、本願発明における「比較歌唱情報検出手段」に相当する。引用発明における「音程比較器26」及び「A/D変換器30」は、フィルター22及び周波数／電圧変換器24（比較歌唱情報検出手段）の出力とD/A変換器28（基準歌唱情報検出手段）の出力とを比較した比較出力をクロック信号に同期して定期的（一定時間毎）にサンプリングしてデジタル信号化して出力するものである（上記記載事項(iv)を参照）から、本願発明における「比較手段」に相当する。引用発明における「モニタ36」は、本願発明における「表示手段」に相当する。引用発明が対象とする「音程差表示機能付きカラオケ装置」は、全体として「表示装置」を構成していることは明らかである。そうすると、本願発明と引用発明とは、次の点で一致する。
 一致点
　歌唱と伴奏を含む原曲の歌唱信号を取り出す歌唱抽出手段と、
　基準となる歌唱信号を入力しその情報を検出する基準歌唱情報検出手段と、
　比較される歌唱信号を入力しその情報を検出する比較歌唱情報検出手段と、
　一定時間毎における前記基準歌唱情報検出手段と前記比較歌唱情報検出手段の検出結果を比較する比較手段と、
　前記比較手段の結果を表示する表示手段とを備えることを特徴とする表示装置。
そして、次の点で相違する。
 相違点
  歌唱抽出手段に関し、本願発明においては、歌唱と伴奏を含む原曲の歌唱信号のみを取り出すものであるのに対し、引用発明におけるCPU10は、伴奏音楽の演奏情報（原曲の伴奏）と伴奏音楽に合わせて歌われたプロ歌手の音程情報である基準ボーカル情報（原曲の歌唱信号）が格納された楽音情報記憶媒体12から演奏情報（原曲の伴奏）及び基準ボーカル情報（原曲の歌唱信号）を読み出すものである点。
　
４．当審の判断
　そこで、上記相違点について検討する。歌手の歌唱信号（基準歌唱信号）と演奏音楽信号（伴奏）が重ね合わされて記録されている記録媒体から演奏音楽信号の成分を除去して歌唱信号のみを取り出してユーザーが歌う音声信号と比較してユーザーの歌唱力を評価するカラオケ装置は本願出願前に周知のものである（必要があれば、特開昭60-125897号公報、特開昭62-134696号公報を参照。）から、引用発明においても、CPU10（歌唱抽出手段）を、伴奏音楽の演奏情報（原曲の伴奏）とプロ歌手の音程情報である基準ボーカル情報（原曲の歌唱信号）が格納された楽音情報記憶媒体12から演奏情報（原曲の伴奏）及び基準ボーカル情報（原曲の歌唱信号）を読み出すことに替えて、上記周知技術のように演奏情報（原曲の伴奏）を除去して基準ボーカル情報（原曲の歌唱信号）のみを取り出すものとして構成することは当業者が容易に想到できたものである。
　
５．むすび
　以上のとおりであって、本願の特許請求の範囲の請求項１に係る発明は、引用例に記載された発明及び上記周知技術に基づいて当業者が容易に発明をすることができたものと認められるので、特許法第29条第２項の規定により特許を受けることができない。
　したがって、本願は、その余の請求項について論及するまでもなく、拒絶すべきものである。
　よって、結論のとおり審決する。